(57)【要約】【課題】  占有面積が小さく、離れた場所からでも記録媒体の排紙部への排出状態を容易に認識できる画像形成装置を提供する。【解決手段】  画像形成装置１は、原稿の画像情報を読み取る原稿読取部２と、原稿読取部２によって読み取られた画像情報または外部から入力された画像情報に基づいて用紙上に画像を形成する画像形成部４と、画像形成部４に用紙を供給する給紙部３と、原稿読取部２と給紙部３とによって上下方向に挟まれた位置に設けられ画像形成部４で画像を形成された用紙の排出を受ける排紙部４０と、側面方向に光を放射することで用紙の排紙部４０への排出状態を表示するＬＥＤ５１〜５４と、を備える。【選択図】  図２
2006030763.tif 000002
【特許請求の範囲】
【請求項１】
原稿の画像情報を読み取る原稿読取部と、
前記原稿読取部によって読み取られた画像情報または外部から入力された画像情報に基づいて記録媒体上に画像を形成する画像形成部と、
前記画像形成部に記録媒体を供給する給紙部と、
前記原稿読取部と前記給紙部とによって上下方向に挟まれた位置に設けられ前記画像形成部で画像を形成された記録媒体の排出を受ける排紙部と、
側面方向に光を放射することで前記記録媒体の前記排紙部への排出状態を表示する表示部と、を備えることを特徴とする画像形成装置。
【請求項２】
前記表示部は、前記排紙部に設けられることを特徴とする請求項１に記載の画像形成装置。
【請求項３】
前記記録媒体が前記排紙部に排出されたことを検出する検出手段をさらに備え、
前記表示部は、前記検出手段の検出結果に基づいて異なる表示状態で表示することを特徴とする請求項１または２に記載の画像形成装置。
【請求項４】
前記原稿読取部によって読み取られた画像情報に基づいて画像形成部で画像が形成されるコピアモード、ネットワークを介して接続された情報処理装置から入力された画像情報に基づいて画像形成部で画像が形成されるプリンタモード、および、通信回線を介して伝送された画像情報に基づいて画像形成部で画像が形成されるＦＡＸモード、を含む複数の異なる処理モードを備え、
前記表示部は、さらに、前記記録媒体を前記排紙部に排出させた処理モードに応じて異なる表示状態で表示することを特徴とする請求項１から３のいずれかに記載の画像形成装置。
【請求項５】
前記表示部は、さらに、前記原稿読取部および前記画像形成部の動作状態を含む複数の情報に応じて異なる表示状態で表示することを特徴とする請求項１から４のいずれかに記載の画像形成装置。
【請求項６】
前記表示部は、色の異なる複数のＬＥＤを含むことを特徴とする請求項３から５のいずれかに記載の画像形成装置。
【発明の詳細な説明】
【技術分野】
【０００１】
この発明は、原稿読取部と給紙部との間に排紙部が設けられる画像形成装置に関する。
【背景技術】
【０００２】
従来、画像形成装置の排紙部は、装置本体の側面から外方に向けて固定され、外側に突出していた。そのため、画像形成装置の占有面積が大きくなっていた。近年、占有面積が小さい画像形成装置として、フロントアクセス方式の画像形成装置が開発されている（例えば、特許文献１参照。）。フロントアクセス方式の画像形成装置では一般的に、原稿読取部が最上部に配置され、給紙部が最下部に配置され、原稿読取部と給紙部との間であって水平方向の一端側に画像形成部が配置され、画像形成装置はコの字型の断面形状を有する。そして、排紙部は、原稿読取部と給紙部とによって上下方向に挟まれた位置に配置される。
【特許文献１】特開２００１−２０６６０９公報
【発明の開示】
【発明が解決しようとする課題】
【０００３】
排紙部が原稿読取部と給紙部とによって上下方向に挟まれた位置に配置された場合、排紙部の視認性が低下するため、ユーザは排紙部に記録媒体が排出されたか否かを認識し難く、さらに、一般的に画像形成装置の動作状態を表示する操作パネルは装置本体の上部に上方に向けて配置されるので、画像形成装置から離れた場所からプリント要求した場合などは、排紙部および操作パネルともに視認し難く、プリント要求した記録媒体が排紙部に排出されたか否かの確認は、画像形成装置の近傍まで近付かない限り困難であった。したがって、従来、ユーザは、プリント要求をした後、画像形成済みの記録媒体が排紙部に排出されたであろう時間を過去の経験からおおよそで予測して画像形成装置まで記録媒体を取りに行っていたので、場合によっては未だ記録媒体が排紙部に排出されておらず、後に時期を見計らって再び記録媒体を取りに行かなければならないことがあった。
【０００４】
また、近年の画像形成装置は多機能化され、コピア機能に加えてプリンタ機能およびＦＡＸ機能を併有し、排紙部に排紙された記録媒体がいずれの機能に基づいて排出された記録媒体であるかの判別が困難となる場合が多かった。このような問題を解決するため、排紙部に、固定式の排紙トレイとともに可動式の排紙トレイを併設し、実行されたモードごとに異なる排紙トレイに記録媒体を排出するように技術が知られている。しかし、上述のような原稿読取部と給紙部とによって上下方向に挟まれた位置では、配置可能な排紙トレイの数が少数に限定される。排紙トレイの数が少ない場合、排出された記録媒体を頻繁に取り去らなければ、全ての排紙トレイがすぐに記録媒体で満たされ、いずれのモードまたはいずれのジョブに応じて排出された記録媒体であるかの判別が困難となる。
【０００５】
さらに、特許文献１の技術は、排紙部からの記録媒体の取り忘れを防止するとともに記録媒体の取り出しを容易にしようとする技術であり、排紙部から記録媒体を取り出す際に排紙トレイが前方に回動されるので、排紙トレイの回動動作を許容するためのスペースを前方に確保する必要があり、占有面積が大きくなるという課題が残されていた。
【０００６】
この発明の目的は、占有面積が小さく、離れた場所からでも記録媒体の排紙部への排出状態を容易に認識できる画像形成装置を提供することにある。
【課題を解決するための手段】
【０００７】
この発明の画像形成装置は、上述の課題を解決するために以下のように構成される。
【０００８】
（１）原稿の画像情報を読み取る原稿読取部と、前記原稿読取部によって読み取られた画像情報または外部から入力された画像情報に基づいて記録媒体上に画像を形成する画像形成部と、前記画像形成部に記録媒体を供給する給紙部と、前記原稿読取部と前記給紙部とによって上下方向に挟まれた位置に設けられ前記画像形成部で画像を形成された記録媒体の排出を受ける排紙部と、側面方向に光を放射することで前記記録媒体の前記排紙部への排出状態を表示する表示部と、を備えることを特徴とする。
【０００９】
この構成においては、排紙部は、原稿読取部と給紙部とによって上下方向に挟まれた位置に設けられる。また、画像形成装置の前面を含む側面の方向に光を放射する表示部が設けられ、表示部は、画像形成部で画像を形成された記録媒体が排紙部に排出されたか否か等の記録媒体の排紙部への排出状態を表示する。
【００１０】
（２）前記表示部は、前記排紙部に設けられることを特徴とする。
【００１１】
この構成においては、表示部は、排紙部に設けられ、記録媒体の排紙部への排出状態を表示する。
【００１２】
（３）前記記録媒体が前記排紙部に排出されたことを検出する検出手段をさらに備え、前記表示部は、前記検出手段の検出結果に基づいて異なる表示状態で表示することを特徴とする。
【００１３】
この構成においては、記録媒体が排紙部に排出されたことが検出手段によって検出される。そして、例えば記録媒体が排紙部に排出されたことを検出手段が検出した場合に検出手段は表示部に検出信号を出力し、表示部は検出信号が入力された場合と入力されない場合とで異なる表示状態で表示する。
【００１４】
（４）前記原稿読取部によって読み取られた画像情報に基づいて画像形成部で画像が形成されるコピアモード、ネットワークを介して接続された情報処理装置から入力された画像情報に基づいて画像形成部で画像が形成されるプリンタモード、および、通信回線を介して伝送された画像情報に基づいて画像形成部で画像が形成されるＦＡＸモード、を含む複数の異なる処理モードを備え、前記表示部は、さらに、前記記録媒体を前記排紙部に排出させた処理モードに応じて異なる表示状態で表示することを特徴とする。
【００１５】
この構成においては、画像形成装置は、コピアモード、プリンタモードおよびＦＡＸモードを含む異なる処理モードを備える。表示部は、記録媒体の排紙部への排出状態を表示することに加えて、排紙部へ排出された記録媒体がいずれの処理モードに基づいて処理されたものであるかを異なる表示状態で表示する。
【００１６】
（５）前記表示部は、さらに、前記原稿読取部および前記画像形成部の動作状態を含む複数の情報に応じて異なる表示状態で表示することを特徴とする。
【００１７】
この構成においては、表示部は、記録媒体の排紙部への排出状態を表示することに加えて、原稿読取部および画像形成部の動作状態を含む複数の情報に応じて異なる表示状態で表示する。
【００１８】
（６）前記表示部は、色の異なる複数のＬＥＤを含むことを特徴とする。
【００１９】
この構成においては、表示部が色の異なる複数のＬＥＤ（発光ダイオード）を含み、各色のＬＥＤの点灯及び消灯の状態の組み合わせによって、異なる複数の情報が表示される。
【発明の効果】
【００２０】
この発明によれば、以下の効果を奏することができる。
【００２１】
（１）排紙部が原稿読取部と給紙部とによって上下方向に挟まれた位置に設けられるので、占有面積を小さくすることができる。また、側面方向に光を放射する表示部を備えるので、排紙部が現像読取部と給紙部とによって上下方向に挟まれた位置に設けられ排紙部の視認性が不良であるにもかかわらず、表示部の表示によって記録媒体の排紙部への排出状態を離れた場所からでも容易に認識することができる。したがって、ユーザは、記録媒体が排紙部に排出されたことを表示部の表示によって確認してから記録媒体を取りに行くことができる。
【００２２】
（２）記録媒体の排紙部への排出状態を表示する表示部が排紙部に設けられるので、表示部が記録媒体の排紙部への排出状態を表示していることを容易に観念することができる。
【００２３】
（３）記録媒体が排紙部に排出されたか否かが検出手段によって検出され、検出手段の検出結果に基づいて表示部の表示状態が異なるので、記録媒体の排紙部への排出状態を直接視認する必要がなく、離れた場所から記録媒体の排紙部への排出状態を認識することができる。
【００２４】
（４）表示部が、記録媒体の排紙部への排出状態を表示することに加えて、排紙部へ排出された記録媒体がいずれの処理モードに基づいて処理されたものであるかを異なる表示状態で表示するので、排紙部に記録媒体が排出されたか否かの情報に加えて、排紙部に排出された記録媒体がいずれの処理モードに基づいて処理されたものであるかの情報を、離れた場所から容易に認識することができる。したがって、排紙部に排出された記録媒体が所望の記録媒体であるか否かを離れた場所から容易に認識することができる。
【００２５】
（５）排紙部に記録媒体が排出されたか否かの情報に加えて、原稿読取部および画像形成部の動作状態を含む複数の情報を、離れた場所から容易に認識することができる。
【００２６】
（６）表示部が色の異なる複数のＬＥＤを含むので、異なる複数の情報を容易に表示することができる。また、ＬＥＤを使用することによって、消費電力を抑制することができる。
【発明を実施するための最良の形態】
【００２７】
以下に、この発明の実施形態について図面に基づいて説明する。図１は、この発明の実施形態に係る画像形成装置を示す斜視図である。図２は、前記画像形成装置の概略の構成を示す断面図である。この実施形態に係る画像形成装置１は、コピアモード、プリンタモード、およびＦＡＸモードを備えたディジタル複合機である。
【００２８】
画像形成装置１は、原稿読取部２、給紙部３、画像形成部４、および排紙部４０を備える。原稿読取部２は給紙部３の上方に配置され、画像形成部４は原稿読取部２と給紙部３との間であって水平方向の一端側に配置されることで、画像形成装置１はコの字型の断面形状を有する。そして、原稿読取部２と給紙部３とによって上下方向に挟まれた位置に排紙部４０が設けられる。
【００２９】
また、画像形成装置１の上面であって前面の方の部分に、操作部２３およびスタートキー２１が配置される。操作部２３は、例えばタッチパネルで形成され、画像形成装置１の動作状態等を表示するとともに設定条件等の入力を受け付ける。
【００３０】
原稿読取部２は、原稿が１枚ずつ載置される原稿台５ａ，５ｂを含む。原稿台５ａ，５ｂの上方には自動原稿搬送装置６が配置される。自動原稿搬送装置６は原稿トレイ７を含む。原稿トレイ７には１枚または複数枚の原稿が載置される。画像形成装置１では、原稿は、原稿台５ａ上または原稿トレイ７上のいずれかに選択的に載置される。
【００３１】
自動原稿搬送装置６は、コピアモードにおいて片面読取モードまたは両面読取モードを選択的に実行する。片面読取モードでは、原稿トレイ７上に載置された原稿は、１枚ずつ原稿台５ｂ上を経由して排紙トレイ８上に排出される。両面読取モードでは、原稿トレイ７上に載置された原稿は、１枚ずつ原稿台５ｂ上を経由して中間トレイ９まで搬送され、原稿搬送方向の前後が反転されることで原稿の表裏が反転された状態で再び原稿台５ｂ上を経由して排紙トレイ８上に排出される。
【００３２】
原稿台５ａ，５ｂの下方には、第１走査体１０、第２走査体１１、結像レンズ１２、およびＣＣＤセンサ１３が配置される。第１走査体１０は、原稿台５ａ，５ｂに対して平行である副走査方向に速度Ｖで移動する。第２走査体１１は、第１走査体１０に連動して副走査方向に速度Ｖ／２で移動する。
【００３３】
第１走査体１０は、露光ランプ１４および第１反射ミラー１５を含む。第２走査体１１は、第２反射ミラー１６および第３反射ミラー１７を含む。露光ランプ１４から出射され原稿によって反射された光は、第１ミラー１５、第２ミラー１６、および第３ミラー１７によって偏向されて結像レンズ１２に入射される。結像レンズ１２に入射された光は、結像レンズ１２によってＣＣＤセンサ１３上に結像される。ＣＣＤセンサ１３上に結像された光は、ＣＣＤセンサ１３によって光電変換処理されて画像データとして読み取られる。
【００３４】
読み取られた画像データは、制御部６０（図４参照）で所定の画像処理が施された後、ＲＡＭ６３に格納される。
【００３５】
給紙部３は、給紙カセット２０を含む。給紙カセット２０には複数枚の用紙が収納される。給紙カセット２０は、用紙の補給等のために画像形成装置１の本体に対して出し入れ可能に形成される。用紙はこの発明の記録媒体の一例であり、記録媒体としてＯＨＰフィルム等を用いることもできる。
【００３６】
給紙カセット２０に収納された用紙は、コピアモードではスタートキー２１の押下をトリガーとして、プリンタモードおよびＦＡＸモードでは印刷要求の受信をトリガーとして、給紙ローラ２２によって用紙搬送路Ｒ１上に給紙され、用紙の先端部がレジストローラ２４にチャックされた状態で待機する。
【００３７】
画像形成部４は、用紙搬送路Ｒ１、反転搬送路Ｒ２、感光体ドラム２５、帯電器２６、現像器２７、転写器２８、クリーニングユニット２９、ＬＳＵ（レーザスキャニングユニット）３０、および定着装置３１を含む。感光体ドラム２５は、用紙搬送路Ｒ１上に配置され、図２において反時計方向に回転駆動する。感光体ドラム２５の周囲に、帯電器２６、現像器２７、転写器２８、およびクリーニングユニット２９が、感光体ドラム２５の回転方向に沿って、この順序で配置される。また、ＬＳＵ（レーザスキャニングユニット）３０は、帯電器２６と現像器２７との間から感光体ドラム２５を臨む位置に配置される。
【００３８】
画像形成部４では、次のような帯電工程、露光工程、現像工程、転写工程、および定着工程を含む電子写真方式の画像形成プロセスを経て、用紙に画像が形成される。
【００３９】
帯電器２６は、感光体ドラム２５の外周面を所定の電位に帯電させる（帯電工程）。ＬＳＵ３０は、所定電位に帯電された感光体ドラム２５の外周面に、制御部１８から入力される画像データに基づくレーザ光を照射し、静電潜像を形成する（露光工程）。感光体ドラム２５の外周面上に形成された静電潜像は、現像器２７によって可視化され、トナー像となる（現像工程）。
【００４０】
ここで、レジストローラ２４に先端部をチャックされた状態で待機中の用紙は、その先端部を感光体ドラム２５の外周面上に形成されたトナー像の先端部と合わせるタイミングで、感光体ドラム２５と転写器２８との間に搬送され、用紙にトナー像が転写される（転写工程）。なお、感光体ドラム２５上に残留したトナーは、クリーニングユニット２９によって回収される。
【００４１】
トナー像が転写された用紙は、用紙搬送路Ｒ１上をさらに搬送され、定着装置３１に到達する。定着装置３１は、加熱ローラ３２および加圧ローラ３３を含む。定着装置３１まで搬送された用紙上に付着するトナーは、加熱ローラ３２と加圧ローラ３３とによって用紙に熱圧着されることで用紙に定着する（定着工程）。
【００４２】
定着装置３１を通過した用紙は、搬送ローラ３４によってさらに用紙搬送路Ｒ１上を搬送され、排紙ローラ３５によって排紙部４０に排出される。また、用紙の両面に画像が印刷される場合は、用紙は、定着装置３１を通過した後にそれまでの搬送方向とは逆方向に反転搬送路Ｒ２を搬送されることで、表裏を反転した状態で再びレジストローラ２４にチャックされる。そして、用紙は所定タイミングで感光体ドラム２５と転写器２８との間を経由し、さらに定着装置３１を経由することで裏面にも画像を形成され、排紙部４０に排出される。
【００４３】
排紙部４０は、固定式排紙トレイ３６および可動式排紙トレイ４１を含む。可動式排紙トレイ４１は、モータＭ（図４参照）によって上下方向に変位自在である。画像形成部４において画像を形成された用紙は、可動式排紙トレイ４１が上下方向に変位することによって固定式排紙トレイ３６上または可動式排紙トレイ４１上のいずれかに選択的に排出される。いずれの排紙トレイ上に排出されるかは、コピアモード、プリンタモード、およびＦＡＸモードのうちいずれの処理モードで処理された用紙であるかによって、または、印刷ジョブごとにいずれの排紙トレイが空き状態であるかによって、決定される。例えば、固定式排紙トレイ３６にすでに用紙が排出されている状態である場合は、用紙は可動式排紙トレイ４１に排出される。これによって、用紙はジョブごとに容易に区別される。
【００４４】
図３は、前記画像形成装置の表示部の近傍の構成を拡大的に示す斜視図である。固定式排紙トレイ３６および可動式排紙トレイ４１の前面側の側面にそれぞれ、複数のＬＥＤ（発光ダイオード）５１〜５４が配置される。ＬＥＤ５１〜５４は、画像形成装置１の前面を含む側面方向に光を放射する。ＬＥＤ５１〜５４は、この発明の表示部に相当する。
【００４５】
この実施形態では例えば、ＬＥＤ５１，５３は赤色であり、ＬＥＤ５２，５４は緑色であり、固定式排紙トレイ３６にＬＥＤ５１，５２が配置され可動式排紙トレイ４１にＬＥＤ５３，５４が配置されることで、固定式排紙トレイ３６および可動式排紙トレイ４１にそれぞれ２色のＬＥＤが設けられる。
【００４６】
また、固定式排紙トレイ３６および可動式排紙トレイ４１のそれぞれにセンサＳ１，Ｓ２が配置され、センサＳ１は固定式排紙トレイ３６上に用紙が排出されているか否かを検出し、センサＳ２は可動式排紙トレイ４１上に用紙が排出されているか否かを検出する。センサＳ１，Ｓ２は、この発明の検出手段に含まれる。センサＳ１，Ｓ２として例えば、フォトセンサが用いられる。可動式排紙トレイ４１の裏面には、センサＳ１から発せられた光を受ける受光部が配置され、可動式排紙トレイ４１の上面に対向する排紙部４０の上面にはセンサＳ２から発せられた光を受ける受光部が配置される。そして、センサＳ１，Ｓ２から発せられた光がそれぞれの受光部に達するまでに遮られたか否かによって、固定式排紙トレイ３６および可動式排紙トレイ４２上に用紙が載置されているか否かがそれぞれ検出される。
【００４７】
さらに、用紙搬送路Ｒ１上であって排紙ローラ３５の上流側近傍に、用紙搬送路Ｒ１上で用紙の搬送ジャムが発生したか否かの検出および排紙ローラ３５から用紙が排出されたか否かの検出を行うセンサＳ３が配置される。
【００４８】
図４は、前記画像形成装置１の概略の構成を示すブロック図である。画像形成装置１は、所定の位置に制御部６０を備える。制御部６０は、ＣＰＵ６１、ＲＯＭ６２、ＲＡＭ６３、ドライバ６４〜７２を含む。ＣＰＵ６１は、ＲＯＭ６２に格納されたプログラム等に基づいて画像形成装置１全体の動作を統括的に制御する。ＲＯＭ６２は、画像形成装置１の動作に必要なプログラム等を格納している。ＲＡＭ６３は、読み取った原稿の画像データ等を一次的に記憶する揮発性のメモリである。ドライバ６４は、第１走査体１０、第２走査体１１、およびＣＣＤセンサ１３等を含む原稿読取部負荷機器７３を駆動させる。ドライバ６５は、給紙ローラ２２を含む給紙部負荷機器７４を駆動させる。ドライバ６６は、感光体ドラム２５、帯電器２６、現像器２７、転写器２８等を含む画像形成部負荷機器７５を駆動させる。ドライバ６７は、モータＭを動作させて可動式排紙トレイ４１を上下方向に変位させる。ドライバ６８は、操作部２３からの入力操作を受け付けて入力操作に基づく情報をＣＰＵ６１に出力し、または、各部の動作状態等を含む所定の情報を操作部２３に表示させる。ドライバ６９〜７２は、ＬＥＤ５１〜５４をそれぞれ点灯、消灯または点滅させる。
【００４９】
また、ＣＰＵ６１には、固定式排紙トレイ３６および可動式排紙トレイ４１にそれぞれ配置されたセンサＳ１，Ｓ２、および排紙ローラ３５の近傍に配置されたセンサＳ３が接続されている。センサＳ１，Ｓ２は、固定式排紙トレイ３６上および可動式排紙トレイ４１上に用紙が排出されているか否かをそれぞれ検出し、検出結果をＣＰＵ６１に出力する。ＣＰＵ６１は、センサＳ１，Ｓ２から入力された検出結果に基づいて、ＬＥＤ５１〜５４を点灯、消灯または点滅させ、および可動式排紙トレイ４１を上下方向に変位させる等の制御を行う。
【００５０】
例えば、ＣＰＵ６１は、センサＳ１，Ｓ２から入力された検出結果に基づいて、それぞれの排紙トレイ３６，４１の空き状態を判定し、画像形成された用紙を空いている方の排紙トレイに排出させる。このとき、排出された用紙がコピアモード、ＦＡＸモードおよびプリンタモードのうちのいずれのモードによって処理された用紙であるかを判定し、コピアモードで処理された用紙である場合は用紙が排出された方の排紙トレイの赤色のＬＥＤ（例えば、固定式排紙トレイ３６の赤色のＬＥＤ５３）のみを点灯させる。また、ＣＰＵ６１は、排出された用紙がＦＡＸモードで処理された用紙である場合は用紙が排出された方の排紙トレイの緑色のＬＥＤ（例えば、可動式排紙トレイ４１の緑色のＬＥＤ５２）のみを点灯させる。さらに、ＣＰＵ６１は、排出された用紙がプリンタモードで処理された用紙である場合は用紙が排出された方の排紙トレイの赤色及び緑色の両方のＬＥＤ（例えば、可動式排紙トレイ４１の全てのＬＥＤ５１，５２）を点灯させる。これによって、排紙部４０に用紙が排出されると、いずれの排紙トレイにいずれの処理モードによって処理された用紙が排出されたかが、画像形成装置１から離れた場所から容易かつ即座に認識される。
【００５１】
センサＳ３は、排紙ローラ３５の近傍での用紙搬送路Ｒ１上の搬送ジャムを検出し、検出結果をＣＰＵ６１に出力する。ＣＰＵ６１は、センサＳ３から入力された検出結果に基づいて、画像形成部４の動作を一時的に停止させるとともに操作部２３に搬送ジャムが発生した旨の表示を行う等の制御を行う。
【００５２】
画像形成装置１によれば、排紙部４０が原稿読取部２と給紙部３とによって上下方向に挟まれた位置に設けられるので、占有面積を小さくすることができる。
【００５３】
また、固定式排紙トレイ３６および可動式排紙トレイ４１のそれぞれの側面に色の異なる複数のＬＥＤ５１〜５４が設けられ、用紙が排出された方の排紙トレイに設けられたＬＥＤのみが、排出された用紙を処理した処理モードに応じて異なる表示状態で点灯するので、ＬＥＤが点灯した方の排紙トレイに用紙が排出されたこと、および、排出された用紙を処理した処理モードを、画像形成装置１から離れた場所からユーザが容易かつ即座に認識することができる。
【００５４】
したがって、ユーザの印刷要求によって画像形成処理された所望の用紙が排紙部４０に排出されたか否かを画像形成装置１から離れた場所から確認した上で、画像形成装置１へ取りに行くことができ、従来のように画像形成処理されたであろう時期をおおよそで予測して画像形成装置へ用紙を取りに行ったが未だ用紙が排出されていなかったというような無駄足を踏むことを無くすことができる。また、ユーザの印刷要求によって画像形成処理された所望の用紙が排紙部４０に排出されたことを画像形成装置１から離れた場所から容易に認識できるので、排紙トレイ３６，４１に用紙が載置されている時間を従来と比較して短くして排紙トレイ３６，４１が空いている機会を多くすることができ、異なる印刷ジョブごとの用紙を固定式排紙トレイ３６と可動式排紙トレイ４１とに区別して排出することができる。
【００５５】
なお、ＬＥＤ５１〜５４は、固定式排紙トレイ３６および可動式排紙トレイ４１の前面側の側面に設けられることに限定されず、画像形成装置１の側面方向に光を放つ位置であれば、位置は特に限定されない。例えば、ＬＥＤ５１〜５４は、画像形成装置１の外装の前面または側面に配置されてもよい。操作部２３が画像形成装置１の上面のうち前面の方の部分に設けられ、ＬＥＤ５１〜５４が画像形成装置１の前面に設けられた場合、通常、画像形成装置１の前面の方向にユーザが存在するように画像形成装置１が配置されるので、ＬＥＤ５１〜５４をユーザが視認しやすくなる。
【００５６】
また、ＬＥＤ５１〜５４は、赤色と緑色との２色であることに限定されず、赤色と青色との２色または緑色と青色との２色のＬＥＤを用いてもよく、または３色以上のＬＥＤを用いてもよい。また、表示部として、ＬＥＤに代えて又はＬＥＤとともに、ＬＥＤ以外の光を放射する手段を用いてもよい。この実施形態では、ＬＥＤを用いることで消費電力を抑制している。
【００５７】
さらに、例えば、用紙が排紙トレイ３６又は４１に排出されたことをセンサＳ１，Ｓ２が検出してから所定時間経過した後にＬＥＤ５１〜５４で表示するようにすれば、コピアモードでの使用時のようにユーザが画像形成装置１の近傍にいて所定時間内に排紙部４０から用紙を取り去った場合はＬＥＤ５１〜５４が点灯しないようにすることができる。このようにすれば、消費電力のさらなる抑制およびＬＥＤ５１〜５４の耐久性の向上を図ることができる。
【００５８】
また、用紙搬送路Ｒ１上の排紙ローラ３５の近傍に設けられ用紙の搬送ジャムを検出するセンサＳ３によって、排紙部４０に用紙が排出されたか否かを検出するようにしてもよい。この場合、センサＳ３がこの発明の検出手段に含まれることになる。
【００５９】
さらに、ＬＥＤ５１〜５４が、用紙の排紙部４０への排出状態を表示することに加えて、原稿読取部２および画像形成部４の動作状態を含む複数の情報に応じて異なる表示状態で表示するようにすることもできる。例えば、ＣＰＵ６１は、原稿読取部２が動作中であると判定した場合には赤色のＬＥＤ５１，５３を点滅させ、画像形成部４が動作中であると判定した場合には緑色のＬＥＤ５２，５４を点滅させるようにすることができる。または、例えば、ＣＰＵ６１は、原稿読取部２に配置された図示しないセンサによって原稿読取部２において原稿が円滑に搬送されていると判定した場合は赤色のＬＥＤ５１，５３を消灯させておき、センサの検出結果に基づいて原稿読取部２において原稿の搬送ジャムが発生したと判定した場合は赤色のＬＥＤ５１，５３を点滅させるようにし、同様に、画像形成部４に配置された図示しないセンサによって画像形成部４において用紙が円滑に搬送されていると判定した場合は緑色のＬＥＤ５２，５４を消灯させておき、センサの検出結果に基づいて画像形成部４において用紙の搬送ジャムが発生したと判定した場合は緑色のＬＥＤ５２，５４を点滅させるようにすることもできる。このようにすれば、排紙部４０に用紙が排出されたか否か、いずれの排紙トレイに排出されたか、いずれの処理モードで処理された用紙であるか、という上述のような情報に加えて、原稿読取部２および画像形成部４の動作状態を含む複数の情報を、離れた場所から容易に認識することができる。
【図面の簡単な説明】
【００６０】
【図１】この発明の実施形態に係る画像形成装置を示す斜視図である。
【図２】前記画像形成装置の概略の構成を示す断面図である。
【図３】前記画像形成装置の表示部の近傍の構成を拡大的に示す斜視図である。
【図４】前記画像形成装置の概略の構成を示すブロック図である。
【符号の説明】
【００６１】
１  画像形成装置
２  原稿読取部
３  給紙部
４  画像形成部
４０  排紙部
５１〜５４  ＬＥＤ（表示部）
Ｓ１，Ｓ２  センサ（検出手段）
【図１】
2006030763.tif 000003
【図２】
2006030763.tif 000004
【図３】
2006030763.tif 000005
【図４】
2006030763.tif 000006